(57)【要約】【課題】  スイッチ操作により動作するモータによって焦点距離を変更するズームレンズを有する撮像装置において、所望の焦点距離が容易に得られる撮像装置を提供する。【解決手段】  モータ３により焦点距離を変更するズームレンズ２と、モータ３を作動させるスイッチ手段１０と、ズームレンズ２の焦点距離を検出する焦点距離検出手段４と、焦点距離を記憶する記憶手段７と、音を発生する音声発生手段１２とを有する撮像装置において、スイッチ手段１０によりズームレンズ２を動作させ、焦点距離変更時に、焦点距離検出手段４で得られた焦点距離が記憶手段７に記憶された焦点距離になると音声発生手段１２は音を発生する。【選択図】        図１
2005308837.tif 000002
【特許請求の範囲】
【請求項１】
モータにより焦点距離を変更するズームレンズと、モータを作動させるスイッチ手段と、ズームレンズの焦点距離を検出する焦点距離検出手段と、焦点距離を記憶する記憶手段と、音を発生する音声発生手段とを有する撮像装置において、前記スイッチ手段によりズームレンズを動作させ、焦点距離変更時に、前記焦点距離検出手段で得られた焦点距離が前記記憶手段に記憶された焦点距離になると前記音声発生手段は音を発生することを特徴とする撮像装置。
【請求項２】
請求項１の撮像装置において、前記記憶手段に記憶される焦点距離を複数記憶することを特徴とする撮像装置。
【請求項３】
請求項１または２の撮像装置において、前記記憶手段に記憶される焦点距離は任意に設定可能であることを特徴とする撮像装置。
【請求項４】
請求項３の撮像装置において、前記記憶手段に記憶される焦点距離は倍率で設定されることを特徴とする撮像装置。
【請求項５】
請求項１乃至４のいずれかの撮像装置において、モード設定する設定手段を有し、モード設定されたときに前記記憶手段に記憶された焦点距離になると、前記音声発生手段は音を発生することを特徴とする撮像装置。
【請求項６】
請求項１乃至５のいずれかの撮像装置において、デジタルズームの機能を有し、デジタルズーム領域においても前記記憶手段に記憶された焦点距離になると、音声発生手段は音を発生することを特徴とする撮像装置。
【請求項７】
請求項１乃至６のいずれかの撮像装置において、前記記憶手段に記憶された焦点距離が所定の範囲に入ると音が発生し始め、記憶された焦点距離になると最も大きくなることを特徴とする撮像装置。
【請求項８】
請求項７の撮像装置において、前記記憶手段に記憶された焦点距離が所定の範囲に入り音が発生し始めたところから、記憶された焦点距離で最も大きくなるまで、徐々に音の大きさを変化させることを特徴とする撮像装置。
【請求項９】
請求項１乃至６のいずれかの撮像装置において、前記記憶手段に記憶された焦点距離が所定の範囲に入ると音が発生し始め、記憶された焦点距離になるとそれまでと異なる音を発生することを特徴とする撮像装置。
【発明の詳細な説明】
【技術分野】
【０００１】
本発明は、電動のズームレンズを有する撮像装置に関するものである。
【背景技術】
【０００２】
従来、モータにより焦点距離を変更する電動ズームレンズを有する撮像装置において、焦点距離の設定は、ズームレンズのモータ作動ボタンを操作することで焦点距離を変化させて行う。この場合、たとえば前回撮影したときと同じ焦点距離に設定して撮影しようとすると、光学ファインダーや撮影しようとしている画像を表示するＬＣＤ表示を確認して、前回と同じ焦点距離が得られるようにモータ作動ボタンを操作して行っていたため、同じ焦点距離を得ることが難しかった。
そこで、例えば、特許文献１には、メモリに記憶された焦点距離までズームレンズを移動させるシステムが提案されている。
【特許文献１】特開２００２−１３１６１６公報
【発明の開示】
【発明が解決しようとする課題】
【０００３】
しかし、この場合、記憶された焦点距離までズームレンズが移動した状態において、撮影者や被写体の位置ズレにより若干の焦点距離の微調整をしたいときや、他の焦点距離に移動したいときは、記憶された焦点距離までズームレンズが移動するモードを一度解除して、ズームレンズのモータ作動ボタンを操作することでズームレンズを移動し、焦点距離の微調整を行わなければならず、即時性に欠ける。
本発明は上述した事情に鑑みてなされたもので、スイッチ操作により動作するモータによって焦点距離を変更するズームレンズを有する撮像装置において、所望の焦点距離が容易に得られる撮像装置を提供することを目的としている。
【課題を解決するための手段】
【０００４】
上記目的を達成するために、請求項１記載の発明は、モータにより焦点距離を変更するズームレンズと、モータを作動させるスイッチ手段と、ズームレンズの焦点距離を検出する焦点距離検出手段と、焦点距離を記憶する記憶手段と、音を発生する音声発生手段とを有する撮像装置において、スイッチ手段によりズームレンズを動作させ、焦点距離変更時に、焦点距離検出手段で得られた焦点距離が記憶手段に記憶された焦点距離になると音声発生手段は音を発生する撮像装置を最も主要な特徴とする。
請求項２記載の発明は、請求項１の撮像装置において、記憶手段に記憶される焦点距離を複数記憶する撮像装置を主要な特徴とする。
請求項３記載の発明は、請求項１または２の撮像装置において、記憶手段に記憶される焦点距離は任意に設定可能である撮像装置を主要な特徴とする。
請求項４記載の発明は、請求項３の撮像装置において、記憶手段に記憶される焦点距離は倍率で設定される撮像装置を主要な特徴とする。
請求項５記載の発明は、請求項１乃至４のいずれかの撮像装置において、モード設定をする設定手段を有し、モード設定されたときに記憶手段に記憶された焦点距離になると、音声発生手段は音を発生する撮像装置を主要な特徴とする。
請求項６記載の発明は、請求項１乃至５のいずれかの撮像装置において、デジタルズームの機能を有し、デジタルズーム領域においても記憶手段に記憶された焦点距離になると、音声発生手段は音を発生する撮像装置を主要な特徴とする。
請求項７記載の発明は、請求項１乃至６のいずれかの撮像装置において、記憶手段に記憶された焦点距離が所定の範囲に入ると音が発生し始め、記憶された焦点距離になると最も大きくなる撮像装置を主要な特徴とする。
請求項８記載の発明は、請求項７の撮像装置において、記憶手段に記憶された焦点距離が所定の範囲に入り音が発生し始めたところから、記憶された焦点距離で最も大きくなるまで、徐々に音の大きさを変化させる撮像装置を主要な特徴とする。
請求項９記載の発明は、請求項１乃至６のいずれかの撮像装置において、記憶手段に記憶された焦点距離が所定の範囲に入ると音が発生し始め、記憶された焦点距離になるとそれまでと異なる音を発生する撮像装置を主要な特徴とする。
【発明の効果】
【０００５】
本発明では、モータにより焦点距離を変更するズームレンズと、ズームレンズのモータを作動させるスイッチ手段と、ズームレンズの焦点距離を検出する焦点距離検出手段と、焦点距離を記憶する記憶手段と、音を発生する音声発生手段とを有する撮像装置において、スイッチ手段によりズームレンズを動作させ、焦点距離変更時に、焦点距離検出手段で得られた焦点距離が記憶手段に記憶された焦点距離になると、音声発生手段は音を発生するようにすることで、所期の目的を達成することができる。
【発明を実施するための最良の形態】
【０００６】
以下、本発明の実施の形態を図面に従って説明する。
図１は本発明の実施の形態に係る撮像装置のブロック図である。本撮像装置は、撮像素子であるＣＣＤ１と、被写体をＣＣＤ１に結像するズームレンズ２と、ズームレンズ２の焦点距離を変更するモータ３と、ズームレンズ２の焦点距離を検出する焦点距離検出部４と、信号処理を行う信号処理部５と、ＣＣＤ出力をＡＤ変換したデータや信号処理されたデータを書き込み／読み出しするＳＤＲＡＭ６とを備える。
また同様に、調整値等のデータを保存しておくＥＥＰＲＯＭ７と、被写体像をプレヴューあるいはモニター表示するための表示部（例えばＬＣＤ）８と、ＣＣＤ１における光量不足時に発光するストロボ部９と、ズームレンズ２のモータ作動を含め、カメラ操作を行う操作スイッチ１０と、音の録音・再生のためにマイク１１及びスピーカ１２及び音声処理部１３と、ＴＧ（トリガ）１４と、Ｆ／Ｆ（フリップフロップ）１５と、メモリーカード１６と、電源１７と、ＤＣ−ＤＣ１８と、全体の制御を司るＣＰＵ１９とを備える。
図２はズームレンズ位置と記憶された焦点距離と音の発生の関係における第１の例を示す図である。この例では、記憶された焦点距離が１箇所設定されている。ここではズームレンズ位置は左端にＷｉｄｅ端を、右端にＴｅｌｅ端を示している。操作スイッチ１０によりズームレンズ焦点距離が変更され、記憶されている焦点距離（Ｐ点）になるとスピーカ１２より記憶されている焦点距離になった旨の音が発生される。これはユーザーが判ればどのような音でも構わないし、任意に設定できるようにしてもよく、また、ブザーを用いたＢｅｅｐ音でも構わない。
【０００７】
図３は本発明の第１の制御例を示すフローチャートである。焦点距離を変更するために操作スイッチ１０を操作すると（Ｓ１でＹ）、記憶されている焦点距離（Ｓ２）と現在のズームレンズの焦点距離（Ｓ３）を比較し（Ｓ４）、それが等しくなると（Ｓ５でＹ）、スピーカ１２から音が発生される（Ｓ６）。これにより、特にモード設定等を行わなくても、容易に記憶された焦点距離が得られ、また、そのまま、その焦点距離からの微調整・移動が可能である（Ｓ７）。
図４はズームレンズ位置と記憶された焦点距離と音の発生の関係における第２の例を示す図である。この例では記憶された焦点距離が複数設定されている。焦点距離が複数設定されていても、第１の例のときと同様にそれぞれの焦点距離（Ｐ点、Ｑ点）で音を発生することで、容易に記憶された焦点距離が得られ、また、そのまま、その焦点距離からの微調整・移動が可能である。
図５はズームレンズ位置と記憶された焦点距離と音の発生の関係における第３の例を示す図である。この例では、記憶されている焦点距離に近づくと音が出始め、記憶された焦点距離（Ｐ点）になると最も大きくなる。
図６は本発明の第２の制御例を示すフローチャートである。焦点距離を変更するために操作スイッチ１０を操作すると（Ｓ１１でＹ）、記憶されている焦点距離（Ｓ１２）と現在のズームレンズの焦点距離（Ｓ１３）を比較し（Ｓ１４）、その差がある範囲内αに入ると（Ｓ１５でＹ）、スピーカ１２から音が出始め、記憶されている焦点距離と一致すると（Ｓ１６でＹ）音が最も大きくなることで、容易に記憶された焦点距離が得られ、また、そのまま、その焦点距離からの微調整・移動が可能である（Ｓ１８）。αの幅は判り易い範囲で設定すればよく、また、任意に設定できるようにしてもよい。
【０００８】
図７はズームレンズ位置と記憶された焦点距離と音の発生の関係における第４の例を示す図である。この例では、記憶されている焦点距離に近づくと音が出始め、徐々に音が大きくなり、記憶された焦点距離（Ｐ点）になると最も大きくなる。これによっても、容易に記憶された焦点距離が得られ、また、そのまま、その焦点距離からの微調整・移動が可能である。
本実施形態では、スイッチ手段（操作スイッチ１０）によりズームレンズを動作させ、焦点距離変更時に検出手段で得られた焦点距離が記憶手段（ＥＥＰＲＯＭ７）に記憶された焦点距離になると音を発生することで、希望の焦点距離を容易に得ることができる。
また、スイッチ手段によりズームレンズを動作させ、焦点距離変更時に検出手段で得られた焦点距離が記憶手段に複数記憶された焦点距離になると音を発生することで、希望の焦点距離を容易に得ることができる。
また、スイッチ手段によりズームレンズを動作させ、焦点距離変更時に検出手段で得られた焦点距離が記憶手段に任意に設定され、記憶された焦点距離になると音を発生することで、希望の焦点距離を容易に得ることができる。
また、スイッチ手段によりズームレンズを動作させ、焦点距離変更時に検出手段で得られた焦点距離が倍率として記憶手段に任意に設定され、記憶された焦点距離になると音を発生することで、希望の焦点距離を容易に得ることができる。
【０００９】
また、モード設定されたときに、スイッチ手段によりズームレンズを動作させ焦、点距離変更時に検出手段で得られた焦点距離が記憶手段に記憶された焦点距離になると音を発生することで、希望の焦点距離を容易に得ることができる。
また、デジタルズームの領域を含めて、スイッチ手段によりズームレンズを動作させ、焦点距離変更時に検出手段で得られた焦点距離が記憶手段に記憶された焦点距離になると音を発生することで、希望の焦点距離を容易に得ることができる。
また、スイッチ手段によりズームレンズを動作させ、焦点距離変更時に検出手段で得られた焦点距離が記憶手段に記憶された焦点距離のある範囲に入ると音が出始め、記憶された焦点距離になると音が最も大きくなることで、希望の焦点距離を容易に得ることができる。
また、スイッチ手段によりズームレンズを動作させ、焦点距離変更時に検出手段で得られた焦点距離が記憶手段に記憶された焦点距離のある範囲に入ると音が出始め、そこから徐々に音が大きくなり記憶された焦点距離になると音が最も大きくなることで、希望の焦点距離を容易に得ることができる。
また、スイッチ手段によりズームレンズを動作させ、焦点距離変更時に検出手段で得られた焦点距離が記憶手段に記憶された焦点距離のある範囲に入ると音が出始め、記憶された焦点距離になるとそれまでとは異なる音を発生することで、希望の焦点距離を容易に得ることができる。
【図面の簡単な説明】
【００１０】
【図１】本発明の実施の形態に係る撮像装置のブロック図。
【図２】ズームレンズ位置と記憶された焦点距離と音の発生の関係における第１の例を示す図。
【図３】本発明の第１の制御例を示すフローチャート。
【図４】ズームレンズ位置と記憶された焦点距離と音の発生の関係における第２の例を示す図。
【図５】ズームレンズ位置と記憶された焦点距離と音の発生の関係における第３の例を示す図。
【図６】本発明の第２の制御例を示すフローチャート。
【図７】ズームレンズ位置と記憶された焦点距離と音の発生の関係における第４の例を示す図。
【符号の説明】
【００１１】
２  ズームレンズ
３  モータ
４  焦点距離検出部（焦点距離検出手段）
７  ＥＥＰＲＯＭ（記憶手段）
１０  操作スイッチ（スイッチ手段）
１２  スピーカ（音声発生手段）
【図１】
2005308837.tif 000003
【図２】
2005308837.tif 000004
【図３】
2005308837.tif 000005
【図４】
2005308837.tif 000006
【図５】
2005308837.tif 000007
【図６】
2005308837.tif 000008
【図７】
2005308837.tif 000009